(57)【要約】【課題】肥満体の人がゴルフを楽しむ際に、ショット時などの姿勢変化に伴うズボンのベルトの締め直しを不要とするズボンの滑り止め用品を提供する。【解決手段】ズボンの滑り止め用品は、着用者の腰部にあたる箇所に帯状に複数個の磁石１１１を貼り付けた磁石付下着１と、磁石１１１が敷き詰められた位置と対応するズボンのマーベルト２１に磁石２１１を貼り付けた磁石付ズボン２からなる。ベルトで固定するタイプのズボンを着用する場合は、通常のズボンを磁石付ベルトで締め、磁石付下着１と組み合わせれば、ズボンの滑り止めになる。【選択図】図４
2017166079.tif 000002
【特許請求の範囲】
【請求項１】
着用者の腰部にあたる箇所に帯状に複数個の磁石を貼り付けた磁石付下着と、
前記磁石の位置と対応するズボンのマーベルトに磁石を貼り付けた磁石付ズボンからなることを特徴とするズボンの滑り止め用品。
【請求項２】
着用者の腰部にあたる箇所に帯状に複数個の磁石を貼り付けた磁石付下着と、
前記磁石の位置と対応する箇所で着用されるズボンのベルトに磁石を貼り付けた磁石付ベルトからなることを特徴とするズボンの滑り止め用品。
【請求項３】
前記磁石付下着の帯状部分の幅は、前記磁石付ズボンのマーベルトの幅の概ね３倍であることを特徴とする請求項１に記載のズボンの滑り止め用品。
【請求項４】
前記磁石付下着の帯状部分の幅は、前記磁石付ベルトの幅の概ね３倍であることを特徴とする請求項２に記載のズボンの滑り止め用品。
【請求項５】
前記磁石付下着に貼り付けた磁石は、磁石同士をずらして配置することを特徴とする請求項１〜４のいずれかに記載のズボンの滑り止め用品。
【請求項６】
前記磁石は厚さが概ね１．５ｍｍ以下のゴム磁石であることを特徴とする請求項１〜５のいずれか１に記載の滑り止め用品。
【請求項７】
前記磁石付下着の帯状部分は、着用者の腹部中央と腰部中央に当たる箇所が伸縮可能であることを特徴とする請求項１〜６のいずれか１に記載の滑り止め用品。
【発明の詳細な説明】
【技術分野】
【０００１】
肥満体の人がゴルフを楽しむ際に、ショット時などの姿勢変化に伴うズボンのベルトの締め直しを不要とするズボンの滑り止め用品に関する。
【背景技術】
【０００２】
日頃忙しくしている人にとって、運動不足解消と休養とを兼ねたゴルフは大きな楽しみである。ところがその楽しみも、肥満気味の人にとっておおいに煩わしいことがある。ゴルフをしている際に絶えずズボンがずり落ちるのである。その都度ベルトを締め直さなくてはならない。特にショット時のように周囲の注目を浴びている時に、ずり落ちたズボンを締め直すのは人にも笑われているようで、せっかくの楽しみに水を差すものとなっている。もちろん、この煩わしさはゴルフ時に限られるわけではなく、日常生活の種々の場面で現れるものである。
【０００３】
これを解決する方法として、サスペンダーの使用がある。しかし、サスペンダーは１対の細いベルトで常時ズボンを吊り上げているため、吊り上げるズボンの重さが１〜２ｃｍ程度の幅のベルトに集中してかかる。このように負荷が集中するベルトが両肩に接し続けているために、接触部分の痛みと継続的に肩に加えられる圧迫感はたいへんな苦痛となる。そのため、サスペンダーの使用によっても、快適にゴルフを楽しむことができない。
【０００４】
サスペンダーに変わる解決法を探すために、特許情報プラットフォームにて先行技術を検索したところ、特開平７−１０９６０６号公報に、主として腰部に着用して衣服の滑りを防止するための「衣服の滑り止めベルト」が開示されていた。
この特許出願にかかる発明は、「従来のベルトは締め付け径が段階的になっているため腰部への締付も連続的には調整出来ない」という問題に着目したものである。この問題を解決するために、単体のベルトに磁性を帯びさせて締付径の連続的調整を容易にし、そしてその締付径を確実に維持したまま、ズボンのずり落ちを防止しようとするものである。
確かにこの発明のベルトを着用すれば、着用者の胴回りに適合させ然るべく維持することは可能ではあるが、ゴルフのショット時のように大きな姿勢変化を伴う動作時にズボンがずり落ちてくることを防止できるか疑問である。
【先行技術文献】
【特許文献】
【０００５】
【特許文献１】特開平７−１０９６０６号公報
【発明の概要】
【発明が解決しようとする課題】
【０００６】
上記の問題点に鑑み特にゴルファーを対象に、ショット毎のベルトの締め直しを不要とし且つ着用中も不快感を覚えないスポーツ用衣料品の提供を課題とする。
【課題を解決するための手段】
【０００７】
前記目的を達成するため、請求項１にかかる発明は、ズボンの滑り止め用品であって、
着用者の腰部にあたる箇所に帯状に複数個の磁石を貼り付けた磁石付下着と、
前記磁石の位置と対応するズボンのマーベルト（ズボンの内側のウエスト周りに使用される帯のことをいう）に磁石を貼り付けた磁石付ズボンからなることを特徴とする。
これにより、シャツの下に着用した磁石付下着とズボンとが磁石の磁気によって引き付けられ、ズボンがずり落ちるのを防止できる。磁石付下着はシャツの下に着用するので、外側からは磁石が見えず、見苦しくない。
ベルトレスのズボンが普及しているが、請求項１の滑り止め用品は、ベルトで固定するズボンだけでなく、ベルトレスのズボンを着用する場合にも、滑り止め効果を発揮するものである。
【０００８】
前記目的を達成するため、請求項２にかかる発明は、ズボンの滑り止め用品であって、
着用者の腰部にあたる箇所に帯状に複数個の磁石を貼り付けた磁石付下着と、
前記磁石の位置と対応する箇所で着用されるズボンのベルトに磁石を貼り付けた磁石付ベルトからなることを特徴とする。
請求項２の滑り止め用品は、ベルトで固定するズボンの滑り止めに用いられ、手持ちのズボンはそのまま着用できる。
【０００９】
前記磁石付下着の帯状部分の幅は、前記磁石付ズボンのマーベルトの幅の概ね３倍であることが好ましく、前記磁石付下着の帯状部分の幅は、前記磁石付ベルトの幅の概ね３倍であることが好ましい。また、前記磁石付下着に貼り付けた磁石は、磁石同士をずらして配置する、つまり、タイルのように縦・横に整列させないことが好ましい。
磁力で強固に滑り止めされているとはいえ、ショット時などに若干ベルトが動くことは無いとはいえない。仮に、ベルトあるいはマーベルトがずれたとしても対応する磁石装着帯の幅に余裕を持たせ、且つ磁石の配置に工夫をすれば、滑り止めの効果を維持することができる。
【００１０】
前記磁石は厚さが概ね１．５ｍｍ以下のゴム磁石であることが好ましい。
ゴム磁石は、加工が容易なので薄くでき、曲げやすいので樹脂やゴムのように扱うことができる。このようなゴム磁石を装着した用品は、着用者にとっても違和感や疲労感をおぼえずにすむ。
【００１１】
前記磁石付下着の帯状部分は、着用者の腹部中央と腰部中央に当たる箇所が伸縮可能であることが好ましい。
これにより、身体の前後２箇所で常時緩み無く身体に固定させることができる
【発明の効果】
【００１２】
磁石付下着と磁石付ズボンを組み合わせて、或は磁石付下着と磁石付ベルトを組み合わせて着用することにより、ショット時などのズボンのずり落ちを防止できるので、頻繁なベルトの締め直しをすることなくゴルフを楽しむことができる。
【図面の簡単な説明】
【００１３】
【図１】第１の実施の形態の磁石付下着の使用状態を示す図である。
【図２】第１の実施の形態の磁石装着帯を展開した状態の正面図である。
【図３】第１の実施の形態の磁石付ズボンの（ａ）胴回り部分の斜視図、（ｂ）胴回り部分に磁石を配置した状態を示す図である。
【図４】第１の実施の形態の滑り止め用品の使用方法を説明する図である。
【図５】第１の実施の形態の磁石装着帯と磁石付ズボンのそれぞれの磁石の位置関係を説明する図である。
【図６】第２の実施の形態の磁石付ベルトの正面図である。
【発明を実施するための最良の形態】
【００１４】
本発明の第１の実施の形態のズボンの滑り止め用品について、図面を参照しながら説明する。
本実施形態の滑り止め用品は、図１に示す磁石付下着１と、図３に示す磁石付ズボン２とからなる。
【００１５】
図１に示すように、磁石付下着１は、通常の下着１００の上に着用する。ただし、汗をかきやすい暑い日などは、磁石付下着１を直接身につけてもよい。つまり、通常の下着の代わりに着用してもかまわない。磁石付下着１の素材として、暑い日などの対策のため、メッシュなどの通気性のよいものを用いてもよい。
【００１６】
磁石付下着１の下方に、磁石装着帯１１を衣料用の接着剤などで取り付ける。「下方」とは、ズボンを着用したときにズボンの胴回りに対応する位置のことである。
磁石装着帯１１は、図２の展開図に示すように、２箇所の帯状部分（１１２ａ、１１２ｂ）のそれぞれに複数個の磁石１１１を約２ｍｍ間隔で敷き詰める。磁石１１１を敷き詰めた帯状の磁石貼付部１１２ａと１１２ｂには、磁石付下着１と同一の生地（例えば、木綿生地）を用い、着用したときに腹部中央と腰部中央に対応する箇所のそれぞれにはゴムなどの伸縮性素材を用い、伸縮部１１３とする。
磁石装着帯１１の幅Ｗは、後述するマーベルトの幅の３倍程度が好ましく、７０ｍｍ前後が適当である。横Ｌの大きさは成人男性の胴回りを考慮して８００ｍｍから１０００ｍｍ程度に決めればよい。かなり肥満している人であっても、磁石１１１の帯状配列の間に２箇所の伸縮部１１３を挿入しているので、横Ｌが１０００ｍｍもあれば着用可能である。
【００１７】
磁石１１１は厚さが１．５ｍｍ程度のゴム磁石が適当である。薄くて軽量で容易に曲がるので長時間磁石付下着１を着用していても不快になるおそれが少ないからである。
なお、磁石付下着１を試作したところ、ズボンを固定するために必要な磁石１１１の総重量は７０〜８０グラムであった。本実施の形態が主たる対象と想定している肥満体形は胴回りが９０ｃｍ程度である。このような肥満者向きの市販の下着は７００グラムくらいであるため、磁石１１１を装着しても、１０％程度の重量増にすぎない。
また、本実施の形態では、特定の方向のみ強く磁化された磁石の使用を前提としている。そのため、磁化の強い方向に並べて使用するならば、ズボンをしっかりと固定するだけの強度を得ることができる。
さらに、磁石１１１は、タイルのように縦・横に整列させずに、磁石同士をずらして配置する。この点について、後で図５を参照しながら説明する。
【００１８】
次に、図３を参照しながら磁石付ズボン２について説明する。
図３（ａ）に示すように、ズボン２の胴回りの内側に位置するマーベルト２１には磁石２１１を衣料用の強力な接着剤で貼り付ける。磁石２１１は磁石付下着１に敷き詰めた磁石１１１と同じ種類の磁石であって、本実施の形態ではゴム磁石を用いる。
図３（ｂ）は、マーベルト２１の全周に磁石２１１を貼り付けた状態を上方から見た図であるが、磁石２１１は、マーベルト２１の長手方向に沿って一列に配置され、２個ずつ近接している。
【００１９】
続いて、本実施の形態の滑り止め用品の使用方法について、図４を参照しながら説明する。
図４の右半身に示したように、下着１００の上に磁石付下着１を着用する。
次に図４の左半身に示したように、磁石付下着１の上にシャツ（ポロシャツなど）２００を着用し、その上から磁石付ズボン２を着用する。このとき、磁石付下着１の磁石装着帯１１と磁石付ズボン２のマーベルト２１とが対応する位置にくる。そのため、磁石装着帯１１の磁石１１１とマーベルト２１の磁石２１１とが磁力で引き付けあって、シャツ２００を間に挟んで、磁石付ズボン２は磁石付下着１に固定され、ずり落ちるのを防止できる。
【００２０】
磁石装着帯１１は、幅Ｗがマーベルト２１の幅よりも３倍程度広くなっている。また、磁石装着帯１１の磁石１１１として、比較的面積の小さい磁石を複数用い、これらの磁石をタイルのように縦・横に整列させずに、ずらして配置している。この２点により、本実施の形態には次の効果がある。すなわち、図５に示すように、着用者の体勢がどのように変わってもマーベルト２１が磁石装着帯１１のいずれかの場所に接触し、磁石付ズボン２が磁石付下着１に固定されるという効果である。なお、図５では、見易さのためにマーベルト２１とこれに貼り付けられた磁石２１１を破線で表している。また、図５（ａ）〜（ｃ）で斜線を付したのは、磁石装着帯１１とマーベルト２１の磁石同士が重なっている箇所である。
例えば、図５（ａ）のように磁石装着帯１１の中央部にマーベルト２１が位置している状態が望ましい。しかし、着用者の体格や大きな動作によって図５（ｂ）のようにマーベルト２１が磁石装着帯１１の長手方向の中心線からずれたとしても、あるいは、図５（ｃ）のようにズボンが少しずれてマーベルト２１が傾いたとしても、磁石１１１と磁石２１１とが重なる部分はあるのだから、依然としてズボンがずり落ちるのを防ぐことができるのである。これが、本実施の形態では、磁石装着帯１１に少数の大きめの磁石を貼り付けずに、多数の小さい磁石を貼り付けた理由である。
以上、第１の実施の形態についての説明が終了した。
【００２１】
続いて、第２の実施の形態について説明する。この実施の形態は、着用するズボンはベルトで固定するタイプに限られる点で、第１の実施の形態と異なる。したがって、磁石付下着と磁石付ベルトとから滑り止め用品が構成される。
磁石付下着は第１の実施の形態と全く同じであるので、説明は省略する。
【００２２】
この実施の形態では、ズボンに直接磁石を貼り付けるのではなく、図６に示すように磁石付ベルト３の裏側に一列に磁石３１を貼り付ける。ここで、ズボンは通常着用しているものをそのまま使用すればよい。
【００２３】
次に、この実施の形態の滑り止め用品の使用方法について説明する。
まず、通常の下着の上に磁石付下着を着用する。磁石付下着の上にポロシャツなどを着用し、その上から通常のズボンを着用する。磁石付ベルト３を締めてズボンを固定する。このとき、磁石付下着の磁石装着帯と磁石付ベルト３とが対応する位置にくる。そのため、磁石装着帯の磁石と磁石付ベルト３の磁石３１とが磁力で引き付けあって、シャツを間に挟んで、ズボンは磁石付下着に固定され、ずり落ちるのを防止できるのである。
【産業上の利用可能性】
【００２４】
ゴルフを快適に楽しむためのスポーツ用衣料品として、肥満気味の人たちからの需要が期待できる。
【符号の説明】
【００２５】
１：磁石付下着
１１：磁石装着帯
１１１：磁石
１１３：伸縮部
２：磁石付ズボン
２１：マーベルト
２１１：磁石
３：磁石付ベルト
３１：磁石
【図１】
2017166079.tif 000003
【図２】
2017166079.tif 000004
【図３】
2017166079.tif 000005
【図４】
2017166079.tif 000006
【図５】
2017166079.tif 000007
【図６】
2017166079.tif 000008